(57)【要約】【課題】携帯端末に提供する情報を、読み取り時点で異なるものにできる管理サーバ及び情報提供システムを提供する。【解決手段】情報提供システム１００の管理サーバ４は、ＩＣタグ２のタグＩＤ２ａと情報提供サーバ５に接続するための配信情報接続先として通常ＵＲＩとを対応付けて記憶し、通常ＵＲＩとは異なる災害ＵＲＩを記憶する記憶部４５と、携帯端末３からタグＩＤ２ａを受信するタグＩＤ受信部４１と、受信したタグＩＤ２ａに対応する通常ＵＲＩを携帯端末３に送信する情報接続先送信部４２と、外部情報を外部情報受付部４３が受け付けたことで、タグＩＤ２ａに対応する接続先を、通常ＵＲＩから災害ＵＲＩに変更する情報接続先変更部４４とを備える。【選択図】図１
2015060498.tif 000002
【特許請求の範囲】
【請求項１】
ＩＣタグ所持体と、利用者が携行する携帯端末と、情報提供サーバと、管理サーバとを備え、
前記ＩＣタグ所持体が、前記管理サーバの接続先情報である管理サーバ接続先と、タグ識別情報とを記憶したＩＣタグを備え、
前記携帯端末が、
前記情報提供サーバと、前記管理サーバとに対して通信ネットワークを介して接続されており、
前記ＩＣタグに近づけた状態で、前記ＩＣタグとの間で近距離通信をするためのアンテナと、
前記アンテナを介して前記ＩＣタグから前記管理サーバ接続先を読み取って前記管理サーバに接続する管理サーバ接続部と、
前記タグ識別情報を前記管理サーバに対して送信する識別情報送信部と、
を備え、
前記情報提供サーバが、複数の配信情報接続先の各々に対応した配信情報を備える、
情報提供システムの前記管理サーバであって、
前記タグ識別情報と、前記情報提供サーバに接続するための前記配信情報接続先とを対応付けて記憶し、前記複数の配信情報接続先のうち前記配信情報接続先とは異なる他の配信情報接続先を記憶する記憶部と、
前記携帯端末から前記タグ識別情報を受信する識別情報受信部と、
前記識別情報受信部により受信した前記タグ識別情報に対応する前記配信情報接続先を、前記携帯端末に送信する情報接続先送信部と、
外部情報を受け付ける外部情報受付部と、
前記外部情報受付部が前記外部情報を受け付けたことに応じて、前記タグ識別情報に対応する接続先を、前記配信情報接続先から前記他の配信情報接続先に変更する情報接続先変更部と、
を備えること、
を特徴とする管理サーバ。
【請求項２】
請求項１に記載の管理サーバにおいて、
前記記憶部は、前記タグ識別情報と、前記配信情報接続先と、前記他の配信情報接続先とを対応付けて記憶する配信情報接続先テーブルを記憶し、
前記情報接続先変更部は、前記外部情報受付部が前記外部情報を受け付けたことに応じて、前記タグ識別情報に対応する接続先を、配信情報接続先テーブルの前記配信情報接続先から前記配信情報接続先に対応付けられた前記他の配信情報接続先に変更すること、
を特徴とする管理サーバ。
【請求項３】
請求項１又は請求項２に記載の管理サーバにおいて、
前記情報接続先変更部は、前記外部情報受付部が前記外部情報を受け付けたことに応じて、前記タグ識別情報に対応する接続先を、前記配信情報接続先から前記外部情報に対応する前記他の配信情報接続先に変更し、
前記他の配信情報接続先に対応する他の前記配信情報は、前記外部情報に関連する情報を含むものであること、
を特徴とする管理サーバ。
【請求項４】
請求項１から請求項３までのいずれかに記載の管理サーバにおいて、
前記ＩＣタグ所持体が設置されている設置位置情報を、前記タグ識別情報に対応付けて記憶しており、
前記外部情報受付部は、災害が発生した地域を含む災害情報を、前記外部情報として受け付け、
前記情報接続先変更部は、前記設置位置情報が前記災害情報の前記地域に含まれる場合に、前記設置位置情報に対応する前記タグ識別情報の接続先を、前記配信情報接続先から前記他の配信情報接続先に変更すること、
を特徴とする管理サーバ。
【請求項５】
請求項４に記載の管理サーバにおいて、
前記他の配信情報接続先に対応する他の前記配信情報は、前記ＩＣタグ所持体の設置位置からの避難経路情報であること、
を特徴とする管理サーバ。
【請求項６】
請求項１から請求項５までのいずれかに記載の管理サーバにおいて、
前記情報提供サーバは、前記他の配信情報接続先に対応する前記他の配信情報を更新したことに応じて、更新した旨の情報を出力するものであり、
前記外部情報受付部は、前記情報提供サーバから前記更新した旨の情報を、前記外部情報として受け付けること、
を特徴とする管理サーバ。
【請求項７】
ＩＣタグ所持体と、利用者が携行する携帯端末と、情報提供サーバと、管理サーバとを備え、
前記ＩＣタグ所持体は、前記管理サーバの接続先情報である管理サーバ接続先と、タグ識別情報とを記憶したＩＣタグを備え、
前記携帯端末は、
前記情報提供サーバと、前記管理サーバとに対して通信ネットワークを介して接続されており、
前記ＩＣタグに近づけた状態で、前記ＩＣタグとの間で近距離通信をするためのアンテナと、
前記アンテナを介して前記ＩＣタグから前記管理サーバ接続先を読み取って前記管理サーバに接続する管理サーバ接続部と、
前記タグ識別情報を前記管理サーバに対して送信する識別情報送信部と、
を備え、
前記情報提供サーバは、複数の配信情報接続先の各々に配信情報を備え、
前記管理サーバは、
前記タグ識別情報と、前記情報提供サーバに接続するための前記配信情報接続先とを対応付けて記憶し、前記複数の配信情報接続先のうち前記配信情報接続先とは異なる他の配信情報接続先を記憶する記憶部と、
前記携帯端末から前記タグ識別情報を受信する識別情報受信部と、
前記識別情報受信部により受信した前記タグ識別情報に対応する前記配信情報接続先を、前記携帯端末に送信する情報接続先送信部と、
外部情報を受け付ける外部情報受付部と、
前記外部情報受付部が前記外部情報を受け付けたことに応じて、前記タグ識別情報に対応する接続先を、前記配信情報接続先から前記他の配信情報接続先に変更する情報接続先変更部と、
を備え、
前記携帯端末は、
前記管理サーバから前記配信情報接続先又は前記他の配信情報接続先を受信する情報接続先受信部と、
受信した前記配信情報接続先又は前記他の配信情報接続先に基づいて前記情報提供サーバに接続して、前記配信情報又は他の前記配信情報を出力する配信情報出力部と、
を備えること、
を特徴とする情報提供システム。
【発明の詳細な説明】
【技術分野】
【０００１】
本発明は、ＩＣタグを利用して、携帯端末に情報を出力する管理サーバ及び情報提供システムに関する。
【背景技術】
【０００２】
従来、駅に設置されたリーダライタによって、携帯端末に情報を提供するシステムがあった（例えば、特許文献１）。このシステムでは、携帯端末を駅に設置されたリーダライタ端末に近づけてかざすと、携帯端末がリーダライタ端末からＵＲＬを受信して、ウェブサーバに接続することで、携帯端末が駅周辺情報を取得する。
また、リーダライタ端末に代わって、記憶媒体（ＩＣチップ等）を用いて携帯端末に対して同様に情報を提供するシステムがある（例えば、特許文献２）。
【先行技術文献】
【特許文献】
【０００３】
【特許文献１】特開２０１０−１２３００６号公報
【特許文献１】特開２００２−１８５５６５号公報
【発明の概要】
【発明が解決しようとする課題】
【０００４】
上述の特許文献は、リーダライタや記憶媒体に、情報提供先を示すＵＲＬが予め記憶されているものであった。よって、携帯端末に提供される情報は、読み取りの都度一律のものであったので、読み取り時点において携帯端末の利用者が知りたい情報を、提供できるものではなかった。
【０００５】
そこで、本発明は、携帯端末に提供する情報を、読み取り時点で異なるものにできる管理サーバ及び情報提供システムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、ＩＣタグ所持体（１）と、利用者が携行する携帯端末（３）と、情報提供サーバ（５）と、管理サーバ（４，２０４）とを備え、前記ＩＣタグ所持体が、前記管理サーバの接続先情報である管理サーバ接続先（２ｂ）と、タグ識別情報（２ａ）とを記憶したＩＣタグ（２）を備え、前記携帯端末が、前記情報提供サーバと、前記管理サーバとに対して通信ネットワーク（Ｎ）を介して接続されており、前記ＩＣタグに近づけた状態で、前記ＩＣタグとの間で近距離通信をするためのアンテナ（３８）と、前記アンテナを介して前記ＩＣタグから前記管理サーバ接続先を読み取って前記管理サーバに接続する管理サーバ接続部（３１）と、前記タグ識別情報を前記管理サーバに対して送信する識別情報送信部（３２）と、を備え、前記情報提供サーバが、複数の配信情報接続先の各々に対応した配信情報を備える、情報提供システム（１００，２００）の前記管理サーバであって、前記タグ識別情報と、前記情報提供サーバに接続するための前記配信情報接続先とを対応付けて記憶し、前記複数の配信情報接続先のうち前記配信情報接続先とは異なる他の配信情報接続先を記憶する記憶部（４５，２４５）と、前記携帯端末から前記タグ識別情報を受信する識別情報受信部（４１）と、前記識別情報受信部により受信した前記タグ識別情報に対応する前記配信情報接続先を、前記携帯端末に送信する情報接続先送信部（４２，２４２）と、外部情報を受け付ける外部情報受付部（４３，２４３）と、前記外部情報受付部が前記外部情報を受け付けたことに応じて、前記タグ識別情報に対応する接続先を、前記配信情報接続先から前記他の配信情報接続先に変更する情報接続先変更部（４４，２４４）と、を備えること、を特徴とする管理サーバである。
第２の発明は、第１の発明の管理サーバ（４，２０４）において、前記記憶部（４５，２４５）は、前記タグ識別情報と、前記配信情報接続先と、前記他の配信情報接続先とを対応付けて記憶する配信情報接続先テーブル（４６ａ，２４６ａ）を記憶し、前記情報接続先変更部（４４，２４４）は、前記外部情報受付部（４３，２４３）が前記外部情報を受け付けたことに応じて、前記タグ識別情報に対応する接続先を、配信情報接続先テーブルの前記配信情報接続先から前記配信情報接続先に対応付けられた前記他の配信情報接続先に変更すること、を特徴とする管理サーバである。
第３の発明は、第１の発明又は第２の発明の管理サーバ（４，２０４）において、前記情報接続先変更部（４４，２４４）は、前記外部情報受付部（４３，２４３）が前記外部情報を受け付けたことに応じて、前記タグ識別情報に対応する接続先を、前記配信情報接続先から前記外部情報に対応する前記他の配信情報接続先に変更し、前記他の配信情報接続先に対応する他の前記配信情報は、前記外部情報に関連する情報を含むものであること、を特徴とする管理サーバである。
第４の発明は、第１の発明から第３の発明までのいずれかの管理サーバ（２０４）において、前記ＩＣタグ所持体（１）が設置されている設置位置情報を、前記タグ識別情報に対応付けて記憶しており、前記外部情報受付部（２４３）は、災害が発生した地域を含む災害情報を、前記外部情報として受け付け、前記情報接続先変更部（２４４）は、前記設置位置情報が前記災害情報の前記地域に含まれる場合に、前記設置位置情報に対応する前記タグ識別情報の接続先を、前記配信情報接続先から前記他の配信情報接続先に変更すること、を特徴とする管理サーバである。
第５の発明は、第４の発明の管理サーバ（２０４）において、前記他の配信情報接続先に対応する他の前記配信情報は、前記ＩＣタグ所持体（１）の設置位置からの避難経路情報であること、を特徴とする管理サーバである。
第６の発明は、第１の発明から第５の発明までのいずれかの管理サーバにおいて、前記情報提供サーバは、前記他の配信情報接続先に対応する前記他の配信情報を更新したことに応じて、更新した旨の情報を出力するものであり、前記外部情報受付部は、前記情報提供サーバから前記更新した旨の情報を、前記外部情報として受け付けること、を特徴とする管理サーバである。
【０００８】
第７の発明は、ＩＣタグ所持体（１）と、利用者が携行する携帯端末（３）と、情報提供サーバ（５）と、管理サーバ（４，２０４）とを備え、前記ＩＣタグ所持体は、前記管理サーバの接続先情報である管理サーバ接続先（２ｂ）と、タグ識別情報（２ａ）とを記憶したＩＣタグ（２）を備え、前記携帯端末は、前記情報提供サーバと、前記管理サーバとに対して通信ネットワーク（Ｎ）を介して接続されており、前記ＩＣタグに近づけた状態で、前記ＩＣタグとの間で近距離通信をするためのアンテナ（３８）と、前記アンテナを介して前記ＩＣタグから前記管理サーバ接続先を読み取って前記管理サーバに接続する管理サーバ接続部（３１）と、前記タグ識別情報を前記管理サーバに対して送信する識別情報送信部（３２）と、を備え、前記情報提供サーバは、複数の配信情報接続先の各々に配信情報を備え、前記管理サーバは、前記タグ識別情報と、前記情報提供サーバに接続するための前記配信情報接続先とを対応付けて記憶し、前記複数の配信情報接続先のうち前記配信情報接続先とは異なる他の配信情報接続先を記憶する記憶部（４５，２４５）と、前記携帯端末から前記タグ識別情報を受信する識別情報受信部（４１）と、前記識別情報受信部により受信した前記タグ識別情報に対応する前記配信情報接続先を、前記携帯端末に送信する情報接続先送信部（４２，２４２）と、外部情報を受け付ける外部情報受付部（４３，２４３）と、前記外部情報受付部が前記外部情報を受け付けたことに応じて、前記タグ識別情報に対応する接続先を、前記配信情報接続先から前記他の配信情報接続先に変更する情報接続先変更部（４４，２４４）と、を備え、前記携帯端末は、前記管理サーバから前記配信情報接続先又は前記他の配信情報接続先を受信する情報接続先受信部（３３）と、受信した前記配信情報接続先又は前記他の配信情報接続先に基づいて前記情報提供サーバに接続して、前記配信情報又は他の前記配信情報を出力する配信情報出力部（３４）と、を備えること、を特徴とする情報提供システム（１００，２００）である。
【発明の効果】
【０００９】
本発明によれば、携帯端末に提供する情報を、読み取り時点で異なるものにできる管理サーバ及び情報提供システムを提供することができる。
【図面の簡単な説明】
【００１０】
【図１】第１実施形態に係る情報提供システムの概要を説明する図である。
【図２】第１実施形態に係る情報提供システムの機能ブロックを示す図である。
【図３】第１実施形態に係る配信情報接続先テーブルの例を示す図である。
【図４】第１実施形態に係る情報提供システムの情報提供処理を示すフローチャートである。
【図５】第１実施形態に係る管理サーバの配信情報選択処理を示すフローチャートである。
【図６】第２実施形態に係る管理サーバの機能ブロックを示す図である。
【図７】第２実施形態に係る管理サーバの記憶部に記憶された各テーブルの例を示す図である。
【図８】第２実施形態に係る管理サーバの配信情報選択処理を示すフローチャートである。
【図９】第２実施形態に係る管理サーバの災害フラグ変更処理を示すフローチャートである。
【発明を実施するための形態】
【００１１】
以下、本発明を実施するための形態について、図を参照しながら説明する。なお、これは、あくまでも一例であって、本発明の技術的範囲はこれに限られるものではない。
（第１実施形態）
図１は、第１実施形態に係る情報提供システム１００の概要を説明する図である。
図２は、第１実施形態に係る情報提供システム１００の機能ブロックを示す図である。
図３は、第１実施形態に係る配信情報接続先テーブル４６ａの例を示す図である。
【００１２】
図１に示すように、情報提供システム１００は、携帯端末３への情報提供に関するシステムである。各利用者が携行する携帯端末３を、ポスター１（ＩＣタグ所持体）のＩＣタグ２にかざすと、携帯端末３が管理サーバ４に接続される。そして、管理サーバ４は、リダイレクト機能により、ＩＣタグ２にかざされた携帯端末３を、情報提供サーバ５に接続する。そして、情報提供サーバ５は、携帯端末３に配信情報を出力する。
ポスター１は、例えば、観光地に設置されている。配信情報は、平常時には、例えば、その観光地の案内に関するものであり、災害時には、例えば、ニュースを提供するものである。
【００１３】
図１の例では、携帯端末３は、平常時には、その観光地の案内情報６１を、タッチパネルディスプレイ３７に表示する。これにより、携帯端末３の利用者は、その観光地での観光の参考にできる。また、携帯端末３は、災害時には、ニュース情報６２を、タッチパネルディスプレイ３７に表示する。これにより、携帯端末３の利用者は、災害情報を入手できる。
情報提供システム１００は、ポスター１と、携帯端末３と、管理サーバ４と、情報提供サーバ５とを備える。携帯端末３と、管理サーバ４と、情報提供サーバ５とは、インターネット等の通信ネットワークＮを介して通信可能になっている。
【００１４】
ポスター１は、紙材、樹脂シート材等から形成された広告媒体である。ポスター１は、Ａ観光地内の掲示板等、利用者の目に付きやすい場所に掲示されている。
ポスター１は、ＩＣタグ２と、印刷１０とを備える。
ＩＣタグ２は、ＲＦＩＤ（Ｒａｄｉｏ  Ｆｒｅｑｕｅｎｃｙ  ＩＤｅｎｔｉｆｉｃａｔｉｏｎ）タグである。ＩＣタグ２は、ポスター１の表面に印刷された枠１０ｂ内に配置されている。
ＩＣタグ２は、ループアンテナ（図示せず）を備えており、携帯端末３との間で通信できる。これらの間の通信は、例えば、数ｍｍ〜数十ｍｍ程度である。ＩＣタグ２は、例えば、ＮＦＣ（Ｎｅａｒ  Ｆｉｅｌｄ  Ｃｏｍｍｕｎｉｃａｔｉｏｎ）の規格（ＩＳＯ／ＩＥＣ１８０９２（ＮＦＣ  ＩＰ−１）、ＩＳＯ／ＩＥＣ２１４８１（ＮＦＣ  ＩＰ−２））に基づいて、１３．５６ＭＨｚの電磁波を利用する。
ＩＣタグ２は、ＩＣタグ２を統括的に制御する制御部（図示せず）と、ＩＣタグ２の動作に必要なプログラムや情報を記憶する記憶部（図示せず）とを備える。この記憶部は、図２に示すように、タグＩＤ２ａ（タグ識別情報）と、管理サーバＵＲＩ（Ｕｎｉｆｏｒｍ  Ｒｅｓｏｕｒｃｅ  Ｉｄｅｎｔｉｆｉｅｒ）２ｂとを記憶している。
【００１５】
タグＩＤ２ａは、ＩＣタグ２ごとに割り当てられた識別情報である。このため、タグＩＤ２ａは、ポスター１ごとに異なる。タグＩＤ２ａは、どのＩＣタグ２に基づいて携帯端末３が接続されたか等を、管理サーバ４が解析して配信情報を決定するために用いられる。
管理サーバＵＲＩ２ｂは、通信ネットワークＮ上の管理サーバ４の接続先情報である。管理サーバＵＲＩ２ｂは、複数のＩＣタグ２に共通であってよい。このため、携帯端末３は、どのＩＣタグ２にかざされても、管理サーバ４に接続する。
印刷１０は、ポスター１の表面に設けられている。印刷１０の内容は、平常時内容１０ａとして、「枠内に情報端末をかざすと観光スポットをご案内します。」というものと、災害時内容１０ｃとして、「注：災害時にも、ご利用ください。」というものである。この内容は、利用者に対して、観光案内ツールとして、また、災害時の情報提供ツールとして、携帯端末３をかざすことを促すものである。
【００１６】
携帯端末３は、各利用者が携行する携帯情報端末であり、例えば、スマートフォン等の多機能型携帯電話機である。
図２に示すように、携帯端末３は、制御部３０、記憶部３５、タッチパネルディスプレイ３７、アンテナ３８、通信Ｉ／Ｆ（インタフェース）部３９等を備える。
制御部３０は、携帯端末３の全体を制御する中央処理装置（ＣＰＵ）である。制御部３０は、記憶部３５に記憶されているオペレーティングシステム（ＯＳ）や、各種のアプリケーションプログラムを適宜読み出して実行することにより、上述したハードウェアと協働し、各種機能を実行する。
【００１７】
制御部３０は、管理サーバ接続部３１、タグＩＤ送信部３２（識別情報送信部）、情報接続先受信部３３、配信情報出力部３４等を備える。
管理サーバ接続部３１は、携帯端末３が管理サーバＵＲＩ２ｂを読み取って、管理サーバ４への接続処理を行う制御部である。
タグＩＤ送信部３２は、携帯端末３が読み取ったタグＩＤ２ａを、管理サーバ４に送信する制御部である。
情報接続先受信部３３は、管理サーバ４から情報提供サーバ５のＵＲＩである配信情報ＵＲＩ（配信情報接続先）を受信する制御部である。
配信情報出力部３４は、情報提供サーバ５に接続して、情報提供サーバ５から受信した配信情報をタッチパネルディスプレイ３７に出力する制御部である。
これらの各機能の詳細については、後述する。
【００１８】
記憶部３５は、携帯端末３の動作に必要なプログラム、データ等を記憶するための半導体メモリ素子等の記憶装置である。
タッチパネルディスプレイ３７は、液晶パネル等で構成される表示部としての機能と、利用者からの指等によるタッチ入力を検出する入力部としての機能とを有する。タッチパネルディスプレイ３７は、情報提供サーバ５から受信した配信情報を表示する。
アンテナ３８は、ループアンテナである。アンテナ３８は、携帯端末３とＩＣタグ２との間で通信するためのものである。携帯端末３をポスター１にかざすと、アンテナ３８とポスター１のＩＣタグ２とが近づく。これにより、携帯端末３は、アンテナ３８を介してＩＣタグ２と通信できる。
通信Ｉ／Ｆ部３９は、通信ネットワークＮを介して、管理サーバ４や情報提供サーバ５との通信を行うためのインタフェース部である。
【００１９】
管理サーバ４は、携帯端末３を、情報提供サーバ５に接続させるためのサーバである。
図２に示すように、管理サーバ４は、制御部４０、記憶部４５、入力部４７、通信Ｉ／Ｆ部４９等を備える。
制御部４０は、管理サーバ４の全体を制御するＣＰＵである。制御部４０は、記憶部４５に記憶されているＯＳや、各種のアプリケーションプログラムを適宜読み出して実行することにより、上述したハードウェアと協働し、各種機能を実行する。
制御部４０は、タグＩＤ受信部４１（識別情報受信部）、情報接続先送信部４２、外部情報受付部４３、情報接続先変更部４４等を備える。
タグＩＤ受信部４１は、携帯端末３からタグＩＤ２ａを受信する制御部である。
情報接続先送信部４２は、配信情報接続先テーブル４６ａ（後述する）を参照して、受信したタグＩＤ２ａに対応した配信情報ＵＲＩを、携帯端末３に送信する。
外部情報受付部４３は、入力部４７を介して外部情報の入力を受け付ける。
情報接続先変更部４４は、外部情報受付部４３が外部情報の入力を受け付けたことに応じて、タグＩＤ２ａに対応した配信情報ＵＲＩを、平常時のＵＲＩである通常ＵＲＩ（配信情報接続先）から、災害時のＵＲＩである災害ＵＲＩ（他の配信情報接続先）に変更する。
これらの各機能の詳細については、後述する。
【００２０】
記憶部４５は、制御部４０の処理を実行するために必要なプログラム、データ等を記憶するためのハードディスク、半導体メモリ素子等の記憶装置である。
記憶部４５は、災害フラグ４５ｆ、配信情報接続先テーブル４６ａ等を備える。
災害フラグ４５ｆは、ＯＮとＯＦＦとを有するフラグである。災害フラグ４５ｆは、平常時にはＯＦＦであり、災害時はＯＮである。災害フラグ４５ｆのＯＮとＯＦＦとの切り替えは、例えば、管理サーバ４の管理者が行う。災害発生時には、例えば、入力部４７を介して災害フラグ４５ｆをＯＮに設定する。また、災害が収束した場合には、入力部４７を介して災害フラグ４５ｆをＯＦＦに設定する。この災害フラグ４５ｆは、外部情報受付部４３が入力部４７を介して外部情報の入力を受け付けたことで、設定される。そして、情報接続先変更部４４が、災害フラグ４５ｆを参照して、タグＩＤ２ａに対応した配信情報ＵＲＩを、通常ＵＲＩから、災害ＵＲＩに変更する。
【００２１】
配信情報接続先テーブル４６ａは、図３に示すように、平常時及び災害時の配信情報ＵＲＩを記憶するテーブルである。配信情報ＵＲＩは、情報提供サーバ５の配信情報の所在を示すアドレスである。
配信情報接続先テーブル４６ａは、タグＩＤ２ａと、平常時及び災害時の配信情報ＵＲＩとを関連付けて記憶している。
図３の例では、「００３」から始まるタグＩＤ２ａは、通常ＵＲＩとしてＡ観光地の観光スポットの案内を行う情報提供サーバ５のＵＲＩに対応している。また、「００４」から始まるタグＩＤ２ａは、通常ＵＲＩとしてＣ観光地の観光スポットの案内を行う情報提供サーバ５のＵＲＩに対応している。また、全てのタグＩＤ２ａは、災害ＵＲＩとして、情報提供サーバ５の災害ニュースサイトのＵＲＩに対応している。つまり、平常時は、タグＩＤ２ａは、図３（ａ）に対応するが、災害時には、図３（ｂ）に対応する。この対応付けについては、後述する。
【００２２】
図２に戻り、入力部４７は、例えば、キーボード、マウス等の入力装置である。
通信Ｉ／Ｆ部４９は、通信ネットワークＮを介して、携帯端末３や情報提供サーバ５との通信を行うためのインタフェース部である。
【００２３】
情報提供サーバ５は、携帯端末３からの要求に応じて、配信情報を携帯端末３に送信するサーバである。ここでは、情報提供サーバ５は、１つのサーバにより行うものとして説明するが、情報提供サーバ５の数は、これに限定されない。例えば、通常ＵＲＩと、災害ＵＲＩとが異なる情報提供サーバ５のアドレスであってもよい。
図２に示すように、情報提供サーバ５は、制御部５０、記憶部５５、通信Ｉ／Ｆ部５９等を備える。
制御部５０は、情報提供サーバ５の全体を制御するＣＰＵである。制御部５０は、記憶部５５に記憶されているＯＳや、各種のアプリケーションプログラムを適宜読み出して実行することにより、上述したハードウェアと協働し、各種機能を実行する。
制御部５０は、携帯端末３からの要求に応じて、配信情報を送信したりする処理を行う。制御部５０の詳細な処理は、後述する。
【００２４】
記憶部５５は、制御部５０を実行するために必要なプログラム、データ等を記憶するためのハードディスク、半導体メモリ素子等の記憶装置である。
記憶部５５は、配信情報記憶部５６を備える。
配信情報記憶部５６は、配信情報を記憶する。配信情報は、例えば、図１の携帯端末３のタッチパネルディスプレイ３７に表示するためのページである。
通信Ｉ／Ｆ部５９は、通信ネットワークＮを介して、携帯端末３や管理サーバ４との通信を行うためのインタフェース部である。
【００２５】
次に、情報提供システム１００の処理について説明する。
図４は、第１実施形態に係る情報提供システム１００の情報提供処理を示すフローチャートである。
図５は、第１実施形態に係る管理サーバ４の配信情報選択処理を示すフローチャートである。
図４のステップＳ（以下、単に「Ｓ」という。）１において、例えば、Ａ観光地にいる利用者が携帯端末３をポスター１にかざす（図１参照）ことで、そのアンテナ３８及びポスター１のＩＣタグ２間が通信距離内に近づく。これにより、携帯端末３の制御部３０は、ＩＣタグ２との間で通信して、ＩＣタグ２からタグＩＤ２ａと、管理サーバＵＲＩ２ｂとを読み出す。
Ｓ２において、制御部３０（管理サーバ接続部３１）は、管理サーバＵＲＩ２ｂに基づいて管理サーバ４に接続する。そして、制御部３０（タグＩＤ送信部３２）は、ＩＣタグ２のタグＩＤ２ａを送信して、配信情報の要求を行う。
Ｓ３において、管理サーバ４の制御部４０（タグＩＤ受信部４１）は、携帯端末３からタグＩＤ２ａを受信する。
Ｓ４において、管理サーバ４の制御部４０は、配信情報ＵＲＩを選択する配信情報選択処理を行う。
【００２６】
ここで、配信情報選択処理について説明する。
図５のＳ４１において、制御部４０は、記憶部４５の災害フラグ４５ｆを参照して、災害フラグがＯＮであるか否かを判断する。災害フラグ４５ｆがＯＮである場合（Ｓ４１：ＹＥＳ）には、制御部４０は、処理をＳ４２に移す。他方、災害フラグ４５ｆがＯＦＦである場合（Ｓ４１：ＮＯ）には、制御部４０は、処理をＳ４３に移す。
Ｓ４２において、制御部４０（情報接続先送信部４２）は、受信したタグＩＤに対応する災害ＵＲＩを選択する（図３（ｂ）参照）。その後、制御部４０は、処理を図４に戻す。
他方、Ｓ４３において、制御部４０（情報接続先送信部４２）は、受信したタグＩＤに対応する通常ＵＲＩを選択する（図３（ａ）参照）。その後、制御部４０は、処理を図４に戻す。
【００２７】
図４に戻り、Ｓ５において、制御部４０（情報接続先送信部４２）は、Ｓ４で選択した情報提供サーバのＵＲＩである配信情報ＵＲＩを、情報配信の要求のあった携帯端末３に送信する。
Ｓ６において、携帯端末３の制御部３０（情報接続先受信部３３）は、管理サーバ４から配信情報ＵＲＩを受信する。携帯端末３の制御部３０は、リダイレクト処理により、その配信情報ＵＲＩに基づいて、情報提供サーバ５に接続して、配信情報を要求する。
Ｓ７において、情報提供サーバ５の制御部５０は、携帯端末３からの接続に応じて、携帯端末３が要求する配信情報ＵＲＩに対応した配信情報を、記憶部５５（配信情報記憶部５６）から読み出す。
Ｓ８において、情報提供サーバ５の制御部５０は、読み出した配信情報を、接続のあった携帯端末３に送信する。
Ｓ９において、携帯端末３の制御部３０（配信情報出力部３４）は、情報提供サーバ５から受信した配信情報を出力することで、タッチパネルディスプレイ３７に表示する。
【００２８】
このような処理により、携帯端末３では、平常時には、例えば、観光地の観光スポットに関する情報をタッチパネルディスプレイ３７に表示するので、携帯端末３の利用者は、その情報を観光の参考にできる。また、携帯端末３では、災害時には、例えば、災害ニュースサイトに遷移して、ニュースをタッチパネルディスプレイ３７に表示するので、携帯端末３の利用者は、ニュースを見て、災害状況を知ることができる。
【００２９】
このように、第１実施形態によれば、以下のような効果がある。
情報提供システム１００は、タグＩＤ２ａを携帯端末３から受信して、災害フラグ４５ｆと、配信情報接続先テーブル４６ａとを参照し、タグＩＤ２ａに応じた配信情報ＵＲＩを、携帯端末３に送信する。配信情報ＵＲＩは、災害フラグ４５ｆにより災害前後で異なるものになるので、読み取り時点が災害発生の前か後かにより、配信情報を異なるものにできる。
災害フラグ４５ｆを参照することで、災害発生時には、災害ＵＲＩを、平常時には、通常ＵＲＩを選択できる。
【００３０】
（第２実施形態）
第２実施形態は、ＩＣタグのタグＩＤと、ＩＣタグの設置位置とが関連付けられている場合について説明する。なお、以降の説明において、上述した第１実施形態と同様の機能を果たす部分には、同一の符号又は末尾に同一の符号を付して、重複する説明を適宜省略する。
図６は、第２実施形態に係る管理サーバ２０４の機能ブロック図である。
図７は、第２実施形態に係る管理サーバ２０４の記憶部２４５に記憶された各テーブルの例を示す図である。
【００３１】
図６に示すように、情報提供システム２００の管理サーバ２０４は、制御部２４０、記憶部２４５、入力部４７、通信Ｉ／Ｆ部４９等を備える。
制御部２４０は、タグＩＤ受信部４１の他、情報接続先送信部２４２、外部情報受付部２４３、情報接続先変更部２４４等を備える。
情報接続先送信部２４２は、ＩＣタグ２の設置位置に対応した配信情報ＵＲＩを、携帯端末３に送信する。
外部情報受付部２４３は、通信Ｉ／Ｆ部４９を介して、通信ネットワークＮに接続されている、例えば、外部サーバ（図示せず）から外部情報を受信する。
情報接続先変更部２４４は、外部情報受付部２４３が外部情報を受信したことに応じて、タグＩＤ２ａに対応した情報提供サーバ５の配信情報ＵＲＩとして、通常ＵＲＩと、災害ＵＲＩとを切り替える。
これらの各機能の詳細については、後述する。
【００３２】
記憶部２４５は、制御部２４０の処理を実行するために必要なプログラム、データ等を記憶するためのハードディスク、半導体メモリ素子等の記憶装置である。
記憶部２４５は、災害フラグテーブル２４５ｆ、配信情報接続先テーブル２４６ａ、位置情報テーブル２４６ｂ、地域テーブル２４６ｃ等を備える。
【００３３】
図７（ａ）に示す災害フラグテーブル２４５ｆは、地域ＩＤごとに、災害フラグを有する。地域ＩＤは、災害情報を提供する地域を識別可能な識別情報であり、地域名に対応している。災害フラグは、ＯＮとＯＦＦとを有する。災害フラグは、平常時にはＯＦＦであり、災害時はＯＮである。災害フラグテーブル２４５ｆの切り替えは、制御部２４０が、災害発生により外部サーバから受信した警報情報（外部情報）に基づいて、対象地域の災害フラグをＯＮに設定する。なお、警報情報とは、例えば、気象庁が発表した、特別警報、緊急地震速報等をいう。また、災害が収束した場合には、制御部２４０が、外部サーバから受信した警報解除情報（外部情報）に基づいて、対象地域の災害フラグをＯＦＦに設定する。なお、図７（ａ）では、災害フラグが「０」は、ＯＦＦであり、「１」は、ＯＮである。
【００３４】
図７（ｂ）に示す配信情報接続先テーブル２４６ａは、平常時及び災害時の配信情報ＵＲＩを記憶するテーブルである。配信情報ＵＲＩは、情報提供サーバ５の配信情報の所在を示すアドレスである。
配信情報接続先テーブル２４６ａは、地域ＩＤと、平常時及び災害時の配信情報ＵＲＩとを対応付けて記憶している。
図７（ｃ）に示す位置情報テーブル２４６ｂは、タグＩＤ２ａと、ＩＣタグ２の設置位置と、設置位置に対応する地域ＩＤとを対応付けて記憶するテーブルである。
図７（ｄ）に示す地域テーブル２４６ｃは、地域ＩＤと、地域名とを対応付けて記憶するテーブルである。
【００３５】
次に、情報提供システム２００の処理について説明する。
情報提供システム２００の情報提供処理は、配信情報選択処理を除き、図４と同様である。
図８は、第２実施形態に係る管理サーバ２０４の配信情報選択処理を示すフローチャートである。
Ｓ２４１において、管理サーバ２０４の制御部２４０は、位置情報テーブル２４６ｂを参照し、タグＩＤ２ａに対応する地域ＩＤを特定する。
Ｓ２４２において、制御部２４０は、災害フラグテーブル２４５ｆを参照し、Ｓ２４１にて特定した地域ＩＤに対応する災害フラグを決定する。
【００３６】
Ｓ２４３において、制御部２４０は、決定した災害フラグがＯＮであるか否かを判断する。災害フラグがＯＮである場合（Ｓ２４３：ＹＥＳ）には、制御部２４０は、処理をＳ２４４に移す。他方、災害フラグがＯＦＦである場合（Ｓ２４３：ＮＯ）には、制御部２４０は、処理をＳ２４５に移す。
Ｓ２４４において、制御部２４０（情報接続先送信部２４２）は、Ｓ２４１にて特定した地域ＩＤに対応する災害ＵＲＩを選択する。その後、制御部２４０は、処理を図４に戻す。
他方、Ｓ２４５において、制御部２４０（情報接続先送信部２４２）は、Ｓ２４１にて特定した地域ＩＤに対応する通常ＵＲＩを選択する。その後、制御部２４０は、処理を図４に戻す。
【００３７】
このような処理により、携帯端末３では、平常時には、例えば、観光地の観光スポットに関する情報をタッチパネルディスプレイ３７に表示するので、携帯端末３の利用者は、その情報を観光の参考にできる。また、携帯端末３では、災害時には、例えば、その観光地での避難先情報サイトに遷移して、避難場所の情報をタッチパネルディスプレイ３７に表示するので、携帯端末３の利用者がその地域の土地勘がなくても、利用者を、その地域の避難場所に誘導できる。
【００３８】
次に、災害フラグテーブル２４５ｆの変更処理について説明する。
図９は、第２実施形態に係る管理サーバ２０４の災害フラグ変更処理を示すフローチャートである。
この処理は、外部情報受付部２４３が外部サーバから外部情報として、警報情報等を受け付けることで実行される。ここで、警報情報は、警報内容（例えば、大地震発生）と、その警報の対象地域とを、文字情報として有する。
Ｓ２６１において、管理サーバ２０４の制御部２４０（外部情報受付部２４３）は、外部サーバから警報情報を受信したか否かを判断する。警報情報を受信した場合（Ｓ２６１：ＹＥＳ）には、制御部２４０は、処理をＳ２６２に移す。他方、警報情報を受信していない場合（Ｓ２６１：ＮＯ）には、制御部２４０は、処理をＳ２６５に移す。
Ｓ２６２において、制御部２４０は、地域テーブル２４６ｃを参照し、警報情報に含む地域名から地域ＩＤを特定する。この地域ＩＤの特定は、制御部２４０が警報情報の中から対象地域の文字情報を抽出して、地域テーブル２４６ｃの地域名に一致するものを特定することで行うことができる。
Ｓ２６３において、制御部２４０（情報接続先変更部２４４）は、Ｓ２６２にて特定した地域ＩＤに対応する災害フラグテーブル２４５ｆの災害フラグを、ＯＦＦからＯＮに変更する。その後、制御部２４０は、本処理を終了する。
【００３９】
他方、Ｓ２６５において、管理サーバ２０４の制御部２４０は、外部サーバから警報解除情報を受信したか否かを判断する。警報解除情報とは、例えば、気象庁が発表した警報の解除情報をいう。警報解除情報を受信した場合（Ｓ２６５：ＹＥＳ）には、制御部２４０は、処理をＳ２６６に移す。他方、警報解除情報を受信していない場合（Ｓ２６５：ＮＯ）には、制御部２４０は、本処理を終了する。
Ｓ２６６において、制御部２４０は、地域テーブル２４６ｃを参照し、警報解除情報に含む地域名から地域ＩＤを特定する。
Ｓ２６７において、制御部２４０（情報接続先変更部２４４）は、Ｓ２６６にて特定した地域ＩＤに対応する災害フラグテーブル２４５ｆの災害フラグを、ＯＮからＯＦＦに変更する。その後、制御部２４０は、本処理を終了する。
【００４０】
このような処理により、管理サーバ２０４では、外部情報に基づいて、対象の地域の災害フラグのＯＮとＯＦＦとを自動的に切り替えることができる。
【００４１】
このように、第２実施形態によれば、以下のような効果がある。
情報提供システム２００は、タグＩＤ２ａの設置位置情報を有しており、設置位置に対応して通常ＵＲＩと災害ＵＲＩとを設定できる。よって、タグＩＤ２ａを携帯端末３から受信して、災害フラグテーブル２４５ｆと、配信情報接続先テーブル２４６ａと、位置情報テーブル２４６ｂとを参照し、タグＩＤ２ａの設置位置に応じた配信情報ＵＲＩを、携帯端末３に送信できる。配信情報ＵＲＩは、災害フラグテーブル２４５ｆの災害フラグにより災害前後で異なるものになるので、読み取り時点が災害発生の前か後かにより、配信情報を異なるものにできる。
管理サーバ２０４がタグＩＤ２ａの設置位置情報を有しており、設置位置に応じて配信情報ＵＲＩを設定できるので、より地域に密着した精度の高い情報を配信できる。
配信情報ＵＲＩの切り替えを、警報情報を用いて自動的に行うので、人手を介在せずに適切に切り替えができる。
【００４２】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４３】
（変形形態）
（１）各実施形態における通常ＵＲＩと、災害ＵＲＩとの配信情報は、一例であり、これに限定されない。例えば、災害ＵＲＩを、ＩＣタグの設置位置から最寄りの避難場所への避難経路を表示するサイトにすることで、利用者が不慣れな場所にいても、災害時により迅速に避難できる。
（２）各実施形態では、１つのポスターに１つのＩＣタグを備えるものとして説明した。しかし、ＩＣタグを設ける対象物は、ポスターに限定するものではない。
（３）各実施形態での配信情報接続先テーブルは、一例であり、これに限定されない。例えば、第１実施形態において、タグＩＤと通常ＵＲＩとを対応付けたテーブルを有し、災害ＵＲＩは、記憶部に別に有するようにしてもよい。また、第１実施形態では、複数のタグＩＤに１つの通常ＵＲＩを対応付けて記憶しているが、タグＩＤごとに別の通常ＵＲＩを対応付けてもよい。さらに、第２実施形態において、地域ＩＤを地域名に対応付けているが、１つの地域名に複数の地域ＩＤを対応付けてもよい。
【００４４】
（４）各実施形態では、外部情報を、管理サーバの管理者による入力部からの入力、又は、外部サーバからの警報情報の受信によるものを例に説明した。しかし、外部情報は、災害ＵＲＩの配信情報の内容を更新したことで、情報提供サーバから提供された更新した旨の情報であってもよい。そのようにすることで、配信情報が最新状態になったことに応じて、切り替えができるので、利用者に切り替え後の更新された配信情報を提供できる。
【符号の説明】
【００４５】
１    ポスター
２    ＩＣタグ
２ａ  タグＩＤ
２ｂ  タグＵＲＩ
３    携帯端末
４，２０４  管理サーバ
５    情報提供サーバ
３０，４０，５０，２４０  制御部
３１  管理サーバ接続部
３２  タグＩＤ送信部
３３  情報接続先受信部
３４  配信情報出力部
３５，４５，５５，２４５  記憶部
３７  タッチパネルディスプレイ
３８  アンテナ
４１  タグＩＤ受信部
４２，２４２  情報接続先送信部
４３，２４３  外部情報受付部
４４，２４４  情報接続先変更部
４５ｆ  災害フラグ
４６ａ，２４６ａ  配信情報接続先テーブル
５６  配信情報記憶部
１００，２００  情報提供システム
２４５ｆ  災害フラグテーブル
２４６ｂ  位置情報テーブル
２４６ｃ  地域テーブル
【図１】
2015060498.tif 000003
【図２】
2015060498.tif 000004
【図３】
2015060498.tif 000005
【図４】
2015060498.tif 000006
【図５】
2015060498.tif 000007
【図６】
2015060498.tif 000008
【図７】
2015060498.tif 000009
【図８】
2015060498.tif 000010
【図９】
2015060498.tif 000011